(57)【要約】【課題】  通し環に通した帯部やベルトをスムーズに引き出しながら締め付け調整することができる締め付け機能を備えたサポータを提供する。【解決手段】  帯部２やベルト２Ｂを通して所定方向に引き出す通し環５と備え、通し環５に回転部材６を取り付け、この回転部材６に帯部２やベルト２Ｂを巻き付けて引き出して締め付け調整すると、帯部２やベルト２Ｂが回転部材６の回転を利用してスムーズに引き出される。【選択図】  図１
2015030946.tif 000002
【特許請求の範囲】
【請求項１】
サポータを腰や腕や足などの所定箇所に巻き回すための帯部と、帯部を通して所定方向に引き出す通し環とを備えた締め付け機能を備えたサポータにおいて、前記通し環に回転部材を取り付け、この回転部材に帯部を巻き付けて引き出して締め付け調整することを特徴とする締め付け機能を備えたサポータ。
【請求項２】
サポータを腰や腕や足などの所定箇所に巻き回すための帯部と、帯部の所定箇所に取り付けられ帯部の締め付け力を調整するベルトと、ベルトを通して所定方向に引き出す通し環とを備えた締め付け機能を備えたサポータにおいて、前記通し環に回転部材を取り付け、ベルトを回転部材に巻き付けて引き出して締め付け調整することを特徴とする締め付け機能を備えたサポータ。
【請求項３】
前記回転部材が柔軟性のある合成樹脂製又はゴム製で、円筒状を呈することを特徴とする請求項１又は２記載の締め付け機能を備えたサポータ。
【請求項４】
前記通し環の前記回転部材が取り付けられる位置が断面円形であることを特徴とする請求項３記載の締め付け機能を備えたサポータ。
【請求項５】
前記通し環に一対の前記回転部材を取り付け、この一対の前記回転部材の間に前記帯部又は前記ベルトを通過させることを特徴とする請求項１又は２記載の締め付け機能を備えたサポータ。
【請求項６】
前記回転部材の長手方向に沿って通し環に取り付けるための溝が形成されていることを特徴とする請求項１又は２記載の締め付け機能を備えたサポータ。
【請求項７】
前記通し環に前記回転部材を取り付けるための切り欠きが形成されていることを特徴とする請求項１又は２記載の締め付け機能を備えたサポータ。
【発明の詳細な説明】
【技術分野】
【０００１】
本発明は、締め付け機能を備えたサポータに関する。
【背景技術】
【０００２】
サポータには、医療用やスポーツ用などに広く用いられているが、腰や腕や足などに装着されるサポータには、帯部やベルトにより締め付ける締め付け機能を備えたサポータがある。
【０００３】
図１１に示す締め付け機能を備えたサポータ１０１は、腕用に使用されるサポータであり、帯部１０２が徐々に幅狭に形成されており、この帯部を通して所定方向に引き出す通し環１０３とを備える。なお、このようなサポータには種種のものがあり、例えば、腰に巻き回すためのサポータ（腰ベルト）では、帯部に取り付けられるベルト７を備え、ベルトを通し環に通して引き出して、このベルトで所定箇所を締め付けるサポータや、所定箇所を個別に締め付けるベルトを帯部の内側に有するタイプのサポータもある（図１４）。
【０００４】
また、特許文献としても、上記締め付け機能を備えたサポータが開示されている。特許文献１には、図１２に示すように、ベルトを通して締め付け力を得るバックルが中央に備えて、上記通し環とともにベルトの長さ調節や締め付け力を調整できるサポータが開示されている。また、特許文献２には、腰用サポータ１は、身体の腰部に巻付けて固定される帯部２と、帯部２による締付け力を増強する１対のバンド２０ａ、２０ｂと、１対の可動通し環（通し環）３１ａ、３１ｂと、１対の加締ベルト３０ａ、３０ｂとを備える。通し環（通し環）３１ａ、３１ｂは、帯部２と各バンド２０ａ、２０ｂとの間に位置し、該通し環を通るとともに側方張出部１２ａ、１２ｂの腰当て部側端部の上下領域に連結された定位置通し環３３〜３５を通って腰当て部１１の中央部に固定される紐部材３２ａ、３２ｂにて該側方張出部端部に連結されている。各加締ベルト３０ａ、３０ｂは、通し環３１ａ、３１ｂを通過し、その一端が帯部２の側方張出部１２ａ、１２ｂに固定され、他端がバンド２０ａ、２０ｂの自由端近傍に固定されている（図１３）。
また、特許文献３には、カラフルな帯状の布地の一方の先端に面ファスナを設け、中間部に角カンを設け、他端部に設けた帯垂らし部にて面ファスナを隠し、帯垂らし部の端をスリットを設けた帯留めで固定する様に構成した骨盤サポートベルト（その請求項１）が開示されている（図１４）。しかし、上記案内環（通し環）は、単なるリング状の金具にすぎない。
【先行技術文献】
【特許文献】
【０００５】
【特許文献１】実開平７−３１０１４号公報
【特許文献２】実用新案登録第３０９４６４２号公報
【特許文献３】特開２０１１−１２２２８４号公報
【発明の概要】
【発明が解決しようとする課題】
【０００６】
ところで、伸縮性を有するサポータでは、帯部やベルトで締め付ける場合、帯部やベルトを十分に引き出しながら即座に締め付けないと、十分な締め付け力を得ることができない場合がある。また、サポータの帯部やベルトには、伸縮性の素材が使用されるが、面ファスナが使用されていたり、メッシュ生地が使用されるなど、表面の素材は、これを折り返すときの滑りを妨げるものがある。
しかしながら、従来の所定厚みの板状の通し環（リング状の金具）に通すだけでは、ベルトを通して引き出しても、スムーズに引き出すことができず、しかも十分な締め付け力を得ることができない問題を有していた。特に、通し環（リング状の金具）に巻き付けて帯部やベルトを折り返して引き出す場合には、スムーズに引き出すことができない場合が合った。
ここで、上記特許文献１のようなバックル９（図１２注の符号９）を備えるサポータとすることも考えられるが、サポータとしては機構が大掛かりすぎるとともに、バックル９の存在により、帯部やベルトが膨らんで、サポータとしての厚さを厚くしてしまい、上手く隠す(衣服でバックルが目立たないようにする)ことができなくなる問題を有する。
【０００７】
そこで本発明の目的は、通し環（リング状の金具）に通した帯部やベルトをスムーズに引き出しながら締め付け調整することができる締め付け機能を備えたサポータを提供することにある。
【課題を解決するための手段】
【０００８】
本発明の締め付け機能を備えたサポータは、サポータを腰や腕や足などの所定箇所に巻き回すための帯部と、帯部を通して所定方向に引き出す通し環とを備えた締め付け機能を備えたサポータにおいて、前記通し環に回転部材を取り付け、この回転部材に帯部を巻き付けて引き出して締め付け調整することを特徴とする。また、サポータを腰や腕や足などの所定箇所に巻き回すための帯部と、帯部の所定箇所に取り付けられ帯部の締め付け力を調整するベルトと、ベルトを通して所定方向に引き出す通し環とを備えた締め付け機能を備えたサポータにおいて、前記通し環に円筒状の回転部材を取り付け、ベルトを回転部材に巻き付けて引き出して締め付け調整することを特徴とする。ここで、ベルトには、サポータに別体に取り付けられるタイプや、サポータの一部が細幅になって帯部を呈する場合のいずれの場合も含まれる。
本発明によれば、通し環に通される帯部やベルトを円筒状の回転部材の回転を利用して（滑車のような働きをして）、スムーズに引き出すことができ、引き出し角度や伸縮性の素材のサポータにかかわらず、サポータを腰や腕や足にしっかりと固定することができる。例えば、腕用のサポータでは、片手で帯部やベルトの締め付け作業を行なう場合でも、帯部やベルトを円筒状の回転部材の回転を利用してスムーズに引き出して、サポータを腕にしっかりと固定することができる。
【０００９】
本発明としては、前記回転部材が柔軟性のある合成樹脂製又はゴム製で円筒状を呈することを特徴とする。
本発明によれば、帯部やベルトを回転部材に巻き付けて引き出して、円筒状の回転部材が変形して、サポータの所定箇所が膨れ上がるような事態を防止する。一方、通し環に帯部やベルトを回転部材に巻き付けて帯部やベルトを引き出すときには、円筒状の回転部材はその円筒状の形を維持してスムーズに引き出すことができる。なお、通し環の回転部材が取り付けられる箇所を断面円形に形成すると、前記回転部材の回転を滑車の如く、よりスムーズに回転させることができる。
【００１０】
本発明としては、前記回転部材の長手方向に通し環に取り付けるための溝が形成されていることを特徴とする。
本発明によれば、前記回転部材の溝を利用して、円筒状の回転部材の通し環に対する着脱を容易に行なうことができる。また、前記円筒状の回転部材に溝を形成することで、回転部材の変形を容易にして、サポータの所定箇所が膨れ上がるような事態を防止する役割も果たす。
【００１１】
本発明としては、前記通し環に前記円筒状の回転部材を取り付けるための切り欠きが形成されていることを特徴とする。例えば、前記通し環の形状を前記溝を介してＣ字状やコ字状に形成する。
本発明によれば、前記通し環の溝を利用して、前記溝を有しない円筒状の回転部材であっても着脱を容易に行なうことができる。また、前記通し環の溝を利用して、サポータに対する着脱を容易に行なうことができる。
【００１２】
本発明としては、前記通し環に一対の前記円筒状の回転部材を取り付け、この一対の円筒状の回転部材の間に帯部又はベルトを通過させることを特徴とする。
本発明によれば、一対の円筒状の回転部材の間に帯部又はベルトを通過させることにより、さらにスムーズに帯部やベルトを引き出すことが容易になる。
【００１３】
本発明としては、前記通し環の前記回転部材が取り付けられる位置が断面円形であることを特徴とする。
本発明によれば、前記円筒状の回転部材が回転し易くなって、さらにスムーズに帯部やベルトを引き出すことが容易になる。
【発明の効果】
【００１４】
本発明によれば、通し環に通される帯部やベルトを円筒状の回転部材の回転を利用してスムーズに引き出して締め付け調整することができるので、サポータを腰や腕や足にしっかりと固定することができる。そして、前記回転部材が柔軟性のある合成樹脂製又はゴム製で円筒状であることにより、通し環に帯部やベルトを回転部材に巻き付けて帯部やベルトを引き出すときには、回転部材はその円筒状の形を維持してスムーズに引き出すことができるとともに、帯部やベルトを回転部材に巻き付けて引き出して、円筒状の回転部材が圧縮変形させて、サポータの所定箇所が膨れ上がるような事態を防止することができる。したがって、老人や体の不自由な人でも、片手で締め付け操作する場合でも容易に引き出しえ締め付け調整可能である。
【図面の簡単な説明】
【００１５】
【図１】本発明の第１の実施形態の締め付け機能を備えたサポータを示す図であり、（ａ）はその斜視図であり、（ｂ）はその平面図である。
【図２】上記第１の実施形態の締め付け機能を備えたサポータの使用例を示す斜視図である。
【図３】上記第１の実施形態の締め付け機能を備えたサポータの使用例を示す斜視図である。
【図４】上記第１の実施形態の回転部材の例を図である。
【図５】上記第１の実施形態の通し環の例を示す図である。
【図６】上記第１の実施形態の通し環似回転部材をとりつけた上体を示す斜視図である。
【図７】本発明の第２の実施形態の締め付け機能を備えたサポータの断面図である。
【図８】上記第２の実施形態の締め付け機能を備えたサポータの平面図であり、ベルトを回転部材を介して折り返した状態を示す図である。
【図９】上記第２の実施形態の締め付け機能を備えたサポータの斜視図である。
【図１０】上記第２の実施形態の他の例を示す図である。
【図１１】従来の腕用の締め付け機能を備えたサポータを示す図である。
【図１２】従来の腰用の締め付け機能を備えたサポータを示す図である。
【図１３】従来の腕用の締め付け機能を備えたサポータを示す図である。
【図１４】従来の腰用の締め付け機能を備えたサポータを示す図である。
【発明を実施するための形態】
【００１６】
以下、本発明を適用した具体的な実施の形態について図面を参照しながら詳細に説明する。
【００１７】
（第１の実施の形態）
図１（ａ）（ｂ）は、本発明の第１の実施形態の締め付け機能を備えたサポータ１Ａの斜視図と平面図である。図２と図３は、その使用例を示す斜視図である。第１の実施形態の締め付け機能を備えたサポータ１Ａは、腕に使用するサポータであり（或いはひじ用）、帯部２の延長としてベルト（帯部２の細い部分）２Ｂが設けられ、所定箇所に取り付けられる通し環５にベルト２Ｂを通して、締め付け力を得る、片側引き出しタイプである。
そして、帯部２の所定箇所に通し環５が配され、通し環５の一辺５ｙには、回転部材６が装着されている。この回転部材６は、通し環５に通し折り返した状態でも、上記ベルト２Ｂを引き出し易くするためのもので、長方形状の通し環５の一辺５ｙに装着され、これにより通し環５の形状如何にかかわらず、通し環５を介した引き出しがスムーズになる。
回転部材６には、その長手方向に沿って溝６ｃが形成されて、通し環５に着脱自在に取付できる。また、通し環５は、袋状の連結部材７を介して帯部２に着脱自在に取り付けられている。すなわち、略Ｃ字形状の通し環５を通す袋状の連結部材７が連続的に設けられ、帯部２やベルト３の長さを考慮して通し環５を取り付けることができる。なお、連結部材７から回転部材６と通し環５を外して、本体のみ洗濯することができる。
【００１８】
したがって、上記腕用の締め付け機能付きサポータ１Ａを腕に締め付け調整するためには、帯部２の先端（ベルト状の細い部分）を回転部材６を有する通し環５に挿通した状態で、腕に装着させてから、締め付けるか、又は、腕の所定箇所に上記腕用の締め付け機能付きサポータ１Ａを配してから、帯部２の先端を回転部材６を有する通し環５に挿通させて、帯部２を引っ張り出すようにする。このようにすると、帯部２は回転部材６の回転によりスムーズに引き出されるので（無理な角度でも容易に引き出し）、片手操作でも帯部２を腕部にしっかりと巻付けて固定することができる。なお、上記回転部材６がないとすると、板状の通し環５に挿通しても、折り曲げられるように折り返されると、帯部２は回転部材６の回転によりスムーズに引き出すことは難しく、帯部２の引き出し角度を工夫するなどの対策が必要になる。これに対して、本実施の形態の上記締め付け機能付きサポータ１Ａによれば、帯部２の先端が回転部材６の回転に伴ってスムーズに引き出され、これにより長さ調節や締め付け力の調整も腕に合わせて無理なく調整可能である。
そして、ベルト３や帯部２には、面ファスナＭを配したりメッシュ生地になっていることも多いが、回転部材６が滑車のように回転して、ベルト３や帯部２はスムーズに引き出される。また、筒状の回転部材に対して、通し環５をその断面が円形状に形成することで、より回転部材の回転が滑らかになる（図７（ｂ））。本実施の形態の通し環５を通す連結部材７の表面には、面ファスナが施されており、帯部２を通し環５を通した直後や折り返す時点での止着（仮止）ができるようになっている。
【００１９】
ここで、回転部材６Ｂとしては、柔軟性のある合成樹脂製又はゴム製であり、外力がかかると、変形することが好ましい（図７（ａ）（ｂ））。また、回転部材６の長手方向に溝６ｃを形成することで、柔軟性のある回転部材６Ｂの径を小さくすることができる。回転部材６Ｂの変形が容易であることから、サポータ１Ａの所定箇所が膨れ上がるような事態を防止する。なお、通し環５を柔軟性のある合成樹脂製又はゴム製としても良く、又、前記通し環５の回転部材６Ｂが装着される箇所を（符号５ｙ）の断面を円形にすることで（図７（ｂ））、よりスムーズな回転力を得ることができる。
また、回転部材６の長手方向に溝５ａが形成されていると、通し環５に取り付けることが容易になる。通し環５は、リング状の金具や合成樹脂製の輪（環）であることが多いが、前記円筒状の回転部材６Ｂに溝５ａを形成することで、この溝５ａを介して装着が容易になる(図４（ａ）（ｂ）)。また、通し環５は、Ｃ字形状のような切り欠き５ｋを形成すると(図５（ａ）〜（ｅ）)、前記円筒状の回転部材６Ｂが溝６ｃのないものでも、装着が可能になる。
【００２０】
（第２の実施の形態）
図８（ａ）（ｂ）と図９は、本発明の第１の実施形態の締め付け機能を備えたサポータ１Ｂの使用態様を例示する図である。図９は、その使用例を示す斜視図である。第１の実施形態の締め付け機能を備えたサポータ１Ｂは、腰に使用するサポータ（腰ベルト）であり、帯部２の外側面にベルト３が左右一対設けられている。また、中央には、腰に当てる腰当て部４が設けられている。腰当て部４の左右には、一対の通し環５が連結部材７を介して取り付けられ、通し環５の一辺５ｙには、回転部材６Ｂが各々装着されている。ベルト３の幅と、回転部材６Ｂの長さは、ほぼ同じ長さである。
ベルト３は、帯部２の先端側を基端３ｚとして、中央の腰当て部４に向けて引き出されて、通し環５に装着されている回転部材６に巻き回されて、折り返して（図８（ｂ））、再度帯部２の基端側２ｚに向かって引き出される（図８（ａ））。これらが左右一対配されており、これにより両手で左右のベルト３の先端側３ｓを握って、引き出して、引き出し長さや圧力調整をして、面ファスナＭを利用して帯部２に固定する。
【００２１】
上記通し環５は、連続する袋状の連結部材７を介して帯部２に取り付けられている。なお、帯部２の先端側２ｓと、ベルト３の先端側３ｓには、面ファスナＭが配されている。また、連続する袋状の連結部材７の表面にも面ファスナが施されている。
【００２２】
したがって、本実施形態の腰用サポータ１Ｂによれば、バンド３を外側にして帯部２を腰部に巻き付ける。腰当て部４の中央部に当てて、帯部２の先端側の面ファスナＭで仮留めする。そして、通し環５の隙間に通して引き出すと、回転部材６Ｂが滑車のように回転動作し、これにより小さい力で容易に引き出すので、帯部２の面ファスナＭに係合させて、腰部をしっかりと固定できる。すなわち、ベルト３や帯部２には、面ファスナＭがあっても、或いは、メッシュ生地であっても、回転部材６Ｂにより回転して、ベルト３や帯部２はスムーズに引き出される。
そして、腰の左右一対のベルト３が各々回転部材６を介して左右一対の通し環５から引き出されるので、体の正面側（腹側）で締め付け操作を容易に行うことができる。また、合成樹脂製又はゴム製の回転部材６Ｂはその変形を容易にして、サポータの所定箇所が膨れ上がるような事態を防止する（腰部の周りが膨出する事態を防止する）。
【００２３】
ここで、本実施形態の他の例としては、図６（ｂ）に示すように、２つの回転部材６を有する通し環５に、帯部２とベルト３とを通して、各々引き出すようなタイプの腰ベルトにも適用可能である。また、図１０（ｂ）に示すように、帯部２の先端２ｓを、回転部材６Ｂを有する通し環５に通して、帯部２を引き出すようにしても良い。なお、図１０（ａ）は、帯部２とベルト３を各々２つの回転部材６Ｂを有する通し環５に通して使用する例である。
また、締め付け機能を備えたサポータ１Ａ，１Ｂには、上記バンド３が帯部２の外側のみならず、内側に配されるもの等種種のものがあるが（図１４参照）、このバンド３が内側のタイプの腰用のベルトとしても、通し環５に回転自在に取り付けられている回転部材６Ｂの回転により、ベルト３は引き出されて、長さ調節と加圧力を調整しながら固定できる。
【００２４】
以上、上述した実施の形態では、腕用のサポータと腰用のサポータの例で説明したが、締め付け機能を備えたサポータであれば、膝用サポータや肘用サポータなどのサポータにも、本発明は広く適用可能である。
【符号の説明】
【００２５】
１Ａ，１Ｂ                本発明の締め付け機能を備えたサポータ、
２                          帯部、  ２ｓ    先端、
２Ｂ，３                    ベルト、３ｓ    先端、３ｚ  基端、
４                          腰当て部、
５Ａ，５Ｂ，５Ｃ，５Ｄ      通し環、５ｋ  切り欠き、５ｙ  一辺（回転部材が配される箇所）、
６，６Ａ，６Ｂ                  回転部材、６ｃ  溝、
７                          連結部材、
Ｍ                          面ファスナ
【図１】
2015030946.tif 000003
【図２】
2015030946.tif 000004
【図３】
2015030946.tif 000005
【図４】
2015030946.tif 000006
【図５】
2015030946.tif 000007
【図６】
2015030946.tif 000008
【図７】
2015030946.tif 000009
【図８】
2015030946.tif 000010
【図９】
2015030946.tif 000011
【図１０】
2015030946.tif 000012
【図１１】
2015030946.tif 000013
【図１２】
2015030946.tif 000014
【図１３】
2015030946.tif 000015
【図１４】
2015030946.tif 000016